(57)【要約】  本発明は、容器のための蓋に関する。蓋は、上部プレートと円形側壁とを有する本体であって、円形側壁の一方の外縁が、閉鎖端を形成する上部プレートに連結し、および閉鎖端の対辺における円形側壁の他方の外縁が開放端を形成する、本体と、リング部材であって、本体の開放端に配置され、第１の切込線によって本体から分離され、かつ複数の連結部によって本体に連結されるリング部材とを備え、複数の第２の切込線が本体またはリング部材上に位置し、かつ複数の連結部の片側に位置する。本発明によって提供される蓋は、その開および／または閉状態の間、その容器に連結され続ける。
2018510825.tif 000002
【特許請求の範囲】
【請求項１】
上部プレートと円形側壁とを有する本体であって、前記円形側壁の対向する２辺が円形に互いに連結し、前記円形側壁の一方の外縁が、閉鎖端を形成する前記上部プレートの１つの表面に連結し、および前記閉鎖端の対辺における前記円形側壁の他方の外縁が開放端を形成する、本体と、
リング部材であって、前記本体の前記開放端に配置され、前記本体の前記開放端と前記リング部材との間の第１の切込線によって前記本体から分離され、かつ複数の連結部によって前記本体に連結され、前記第１の切込線の２つの端部が前記複数の連結部によって分離される、リング部材と
を備え、
複数の連結ピンが前記第１の切込線に沿って位置し、前記複数の連結ピンが前記第１の切込線の両側で前記本体と前記リング部材とを連結し、複数の第２の切込線が前記本体または前記リング部材上に位置し、かつ前記複数の連結部の片側に位置し、前記複数の第２の切込線が前記第１の切込線と重ならず、および前記複数の第２の切込線の２つの端部とそれ自体とが連結されない、容器のための蓋。
【請求項２】
前記複数の連結部のそれぞれが前記複数の第２の切込線の一部によって分離される、請求項１に記載の蓋。
【請求項３】
前記複数の第２の切込線が前記本体から前記リング部材まで、または前記リング部材から前記本体まで延在される、請求項１に記載の蓋。
【請求項４】
前記複数の第２の切込線が前記第１の切込線に連結される、請求項１に記載の蓋。
【請求項５】
前記複数の第２の切込線の一部が前記第１の切込線と平行である、請求項１に記載の蓋。
【請求項６】
前記複数の第２の切込線が直線、曲線、折れ線、円弧線、またはそれらの組合せである、請求項１に記載の蓋。
【請求項７】
前記複数の第２の切込線がＬ字形線、Ｓ字形線、Ｚ字形線、またはそれらの組合せである、請求項１に記載の蓋。
【請求項８】
前記複数の第２の切込線の隅部が湾曲した隅部、面取りされた隅部、鋭い隅部、またはそれらの組合せである、請求項７に記載の蓋。
【請求項９】
前記複数の第２の切込線が前記円形側壁または前記リング部材の一部を囲むが、前記円形側壁または前記リング部材を完全には囲まない、請求項１に記載の蓋。
【請求項１０】
前記複数の第２の切込線が前記円形側壁または前記リング部材の３／４未満を囲む、請求項１に記載の蓋。
【請求項１１】
前記複数の第２の切込線が前記円形側壁または前記リング部材の１／２未満を囲む、請求項１０に記載の蓋。
【請求項１２】
前記本体の内側がネジ山を有する、請求項１に記載の蓋。
【請求項１３】
前記第１の切込線が直線、曲線、折れ線、円弧線、またはそれらの組合せである、請求項１に記載の蓋。
【請求項１４】
前記容器が丸瓶または丸缶である、請求項１に記載の蓋。
【発明の詳細な説明】
【技術分野】
【０００１】
関連出願の相互参照
本出願は、２０１５年４月２日に出願された台湾特許出願第１０４１１０８３８号明細書の利益を主張し、その主題は参照により本明細書に組み込まれる。
【０００２】
本発明は、蓋に関し、より詳細には、容器のための蓋に関する。
【背景技術】
【０００３】
一般に、任意の従来の容器の蓋は、常に、容器が開けられるとその容器から完全に分離される。そのため、分離された蓋は、容易に落とされ、偶発的に廃棄され、および／または置き忘れられる／紛失される。さらに、分離された蓋は、落とすと、地面または他の管理されていない表面と接触することによって容易に汚れる可能性があり、蓋は再使用不可能になる。また、廃棄されるかまたは置き忘れられた／紛失された、分離された蓋は、環境を汚染してさらなる環境問題を引き起こす可能性がある。したがって、これらの問題を解決するために、業界は、容器が開状態にある間、容器に連結されたままであるいくつかの蓋を開発してきた。それにより、これらのいくつかの蓋は、それらの容器から分離されるか、落とされるか、偶発的に廃棄されるか、置き忘れられる／紛失されるか、地面もしくは他の管理されていない表面との接触によって汚されるか、または環境を汚染するか、もしくはさらなる環境問題を引き起こす可能性があることから守られる。
【０００４】
それでもなお、上記機能を有する現在の既存の蓋は、通常、はるかにより複雑な設計を必要とする。特に、これらの設計は、通常、２つ以上の構成要素または構造の必要性を含む。たとえば、蓋のための本体構造の他に、設計は、容器が開けられるときにそれらの容器に蓋を連結するための複雑な連結構造も必要とする。また、設計は、開状態である間、蓋がそれらの容器の開口に干渉することを防ぐ障壁構造も必要とし、使用者によって所望される場合、蓋が開状態のままであることも保証する。さらに、複雑な連結構造は、蓋を閉じられた密閉状態に戻すために、使用者によるいくつかの難しい物理的操作を必要とする。これらの構造を有する蓋を製造するために、使用される構成要素の材料および数は業界および市場の標準を超えて増加する。これらの蓋の製造プロセスは、複雑な連結構造を作成する複数の製造装置（機械）を利用するいくつかの生産水準も必要とする。そのため、材料のコストが増加するだけでなく、製造装置および関係する人時の製造間接費も同様に増加する。これらの蓋の製造プロセスのコストおよび非効率性は非常に大きく、市場および業界の要求を上回る。
【０００５】
したがって、使用する材料がより少ないより簡単な設計および構造、より少ない製造装置、ならびにより少ない人時を使用して、はるかにより環境にやさしく、簡単に製造され、生産効率が高く、コストが非常に低い蓋を作成することにより、上記機能を有する蓋を提供する必要性がある。
【発明の概要】
【発明が解決しようとする課題】
【０００６】
本発明の目的は、容器のための蓋を提供することである。より詳細には、従来の蓋と比較して、本発明によって提供される蓋は、その非常に簡単な設計および構造により、開状態の蓋がその容器に対して容器に連結された状態のまま維持されることを可能にする。さらに、本発明の蓋はまた、必要に応じて使用者からの任意の物理的操作なしに開状態のままである。蓋は、開状態の間、容器の開口に干渉せず、蓋の自由移動は制限され、開状態の間、蓋が使用者に干渉することを防ぐ。本発明の蓋は、閉じられた密閉状態に非常に容易に戻すことができ、蓋が落とされるか、紛失されるか、置き忘れられるか、偶発的に廃棄されるか、管理されていない表面との接触によって汚されるか、または環境を汚染するか、ダメージを与えるか、もしくは悪影響を与えることが可能になることを防ぐ。
【課題を解決するための手段】
【０００７】
目的を達成するために、本発明は、上部プレートと円形側壁とを有する本体であって、円形側壁の対向する２辺が円形に互いに連結し、円形側壁の一方の外縁が、閉鎖端を形成する上部プレートの１つの表面に連結し、閉鎖端の対辺における円形側壁の他方の外縁が開放端を形成する、本体と、リング部材であって、本体の開放端に配置され、本体の開放端とリング部材との間の第１の切込線によって本体から分離され、かつ複数の連結部によって本体に連結され、第１の切込線の２つの端部が複数の連結部によって分離される、リング部材とを含み、複数の連結ピンが第１の切込線に沿って位置し、複数の連結ピンが第１の切込線の両側で本体とリング部材とを連結し、複数の第２の切込線が本体またはリング部材上に位置し、かつ複数の連結部の片側に位置し、複数の第２の切込線が第１の切込線と重ならず、および複数の第２の切込線の２つの端部とそれ自体とが連結されない、容器のための蓋を提供する。
【０００８】
本発明において、複数の連結部は、第１の切込線と複数の第２の切込線との間に形成することができる。複数の連結部はまた、複数の第２の切込線間に形成することができる。複数の連結部の形状は特に限定されない。複数の連結部の形状は、複数の連結部の側面に配置される第１の切込線および複数の第２の切込線の形状に依存する。複数の連結部の数量は特に限定されない。複数の連結部のそれぞれの間の間隔は、複数の連結部のそれぞれが複数の第２の切込線の一部で分離されることを除いて、同様に特に限定されない。
【０００９】
本発明において、複数の第２の切込線の数量は特に限定されない。複数の第２の切込線のそれぞれの間の間隔は同様に特に限定されない。本体またはリング部材への複数の第２の切込線の配置に加えて、複数の第２の切込線は、本体からリング部材まで、またはリング部材から本体まで延在することもできる。複数の第２の切込線は第１の切込線と重ならないが、しかしながら、複数の第２の切込線は第１の切込線の一部に連結することができる。また、複数の第２の切込線の一部は、第１の切込線と平行であり得る。
【００１０】
本発明において、第１の切込線および複数の第２の切込線は特に限定されない。しかしながら、第１の切込線および複数の第２の切込線は、それぞれ直線、曲線、折れ線、円弧線、またはそれらの組合せであることが好ましいことができる。複数の第２の切込線は、より好ましくは、Ｌ字形線、Ｓ字形線、Ｚ字形線、またはそれらの組合せであり得、複数の第２の切込線の隅部は特に限定されない。複数の第２の切込線の隅部は、湾曲した隅部、面取りされた隅部、鋭い隅部、またはそれらの組合せであることが好ましい。第１の切込線および複数の第２の切込線は、個々に、同じ種類の線または異なる種類の線であり得る。
【００１１】
本発明において、第１の切込線および複数の第２の切込線は、円形側壁またはリング部材の一部を囲むが、円形側壁またはリング部材を完全には囲まない。第１の切込線および複数の第２の切込線の長さ、囲まれた円形側壁またはリング部材は特に限定されない。好ましくは、第１の切込線の長さ、囲まれた円形側壁またはリング部材は、複数の第２の切込線のそれぞれの長さ、囲まれた円形側壁またはリング部材より長い。特に、第１の切込線が円形側壁またはリング部材の３／４超を囲むことが好ましい。第１の切込線が円形側壁またはリング部材の４／５超を囲むことがより好ましい。他方で、複数の第２の切込線が円形側壁またはリング部材の３／４未満、より好ましくは円形側壁またはリング部材の１／２未満、最も好ましくは円形側壁またはリング部材の１／４未満を囲むことが好ましい。
【００１２】
本発明において、提供される蓋は、蓋および容器を一緒に組み立てることができる限り、任意の特定の限定なしに任意の従来の容器と一緒に使用することができる。蓋の形状は特に限定されない。しかしながら、蓋の内側は円形であることが好ましい。容器の形状も同様に特に限定されない。しかしながら、容器の開口は円形開口であることが好ましい。本発明において、容器は丸瓶または丸缶であることが好ましい。
【００１３】
本発明において、提供される蓋の本体は、容器の開口の開および閉を制御するために容器の開口と協働するように適合される。より詳細には、本体の内側はネジ山を有する。容器の開口の外側の相補的なネジ山構造により、本体は、回転させることにより、容器の開口上でねじり開けおよびねじり閉じることができる。
【００１４】
本発明において、提供される蓋の本体が容器の開口上でねじり閉じられるとき、本体の閉鎖端は容器の開口に当接する。一方、本体の開放端は、容器の開口に向き、容器の開口を覆って嵌まる。結果的に、容器の開口は閉状態になり、容器は密閉されたままとなる。
【００１５】
本発明において、提供される蓋の本体の外側は、刻み部を有することができる。容器が開けられるとき、刻み部は、本体およびリング部材を回転させて、分離するために力を加えることを容易にすることができる。
【００１６】
本発明において、実際の必要性に応じて、提供される蓋の本体とリング部材との間に配置される第１の切込線は、本体とリング部材とを連結するために複数の連結ピンを有することができる。複数の連結ピンの形状、寸法、数量、および間隔は特に限定されない。第１の切込線の複数の連結ピンの寸法および数量がより小さく、複数の連結ピンの間隔がより大きいとき、複数の連結ピンを壊すために必要な力はより小さくなる。したがって、本体およびリング部材の分離はより容易である。逆に、第１の切込線の複数の連結ピンの寸法および数量がより大きく、複数の連結ピンの間隔がより小さいとき、複数の連結ピンを壊すために必要な力はより大きくなる。したがって、本体およびリング部材の分離はより難しい。本発明によって提供される蓋において、複数の第２の切込線は複数の連結ピンを保有しない。
【００１７】
本発明において、本発明によって提供される蓋の本体が容器の開口からねじり開けられたとき、複数の連結部は、本体とリング部材とを連結する。リング部材は容器の開口の膨出部の下に嵌まっているため、したがってリング部材は容器の開口から外れない。結果として、容器の開口から分離された本体とリング部材との連結により、本体が依然として容器と連結状態のままであることを可能にする。さらに、複数の連結部は、本体が開状態のままであることを可能にすることもできる。複数の連結部は、本体が容器の開口に干渉することを防ぐ。複数の連結部はまた、本体の自由移動を減少させる。結果として、内容物を容器から出すとき、複数の連結部は、本体がその自由移動のために他の物体に接触することを防ぐことができる。本体の内側の残りの内容物も簡単にこぼれない。また、容器の開口に嵌合されたリング部材は自由に回転させることができるため、したがって複数の連結部は簡単に引き抜けない。
【００１８】
本発明において、提供される蓋は、任意の特定の限定なしに、当該技術分野において知られている任意の材料を用いて作ることができる。特に、蓋のための材料は、ポリエステル、ＰＥＴ、ＰＥ、ＨＤＰＥ、ＰＰ、ＰＳ、ＰＭＭＡ、またはＰＣなどのプラスチックであることが好ましい。蓋は、任意の特定の限定なしに、当該技術分野において知られている任意の工程によって製造することができる。蓋の製造工程は、好ましくは、射出成形による工程である。第１の切込線および複数の第２の切込線は、任意の特定の限定なしに、任意の知られている方法によって形成することができる。第１の切込線および複数の第２の切込線は、好ましくは、回転切断によって形成される。切り込みは、好ましくは、従来の切断ツールまたはレーザ切断によって行われる。
【００１９】
全体として、本発明において、上記の簡単な設計および構造を使用することにより、その容器に対して開状態に置かれる蓋は、その容器に連結され続ける。本発明の蓋はまた、必要に応じて使用者からの任意の物理的操作なしに開状態のままである。蓋は、開状態である間、容器の開口に干渉せず、蓋の自由移動は制限され、開状態において蓋が使用者に干渉することを防ぐ。本発明の蓋は、閉状態に非常に容易に戻すことができ、蓋が落とされるか、紛失されるか、置き忘れられるか、偶発的に廃棄されるか、管理されていない表面との接触によって汚されるか、または環境を汚染するか、ダメージを与えるか、もしくは悪影響を与えることが可能になることを防ぐ。
【００２０】
本発明の他の目的、利点、および新しい特徴は、添付図面と組み合わせて考慮される場合、以下の詳細な説明からより明らかになる。
【図面の簡単な説明】
【００２１】
【図１】本発明の容器のための蓋の実施形態を示す三次元概略図である。
【図２Ａ−２Ｇ】本発明の容器のための蓋の異なる実施形態を示す概略図である。
【図３】容器から分離されている本発明の容器のための蓋の実施形態を示す三次元概略図である。
【発明を実施するための形態】
【００２２】
実施例１
図１は、本発明の容器のための蓋の実施形態を示す三次元概略図である。図１が示すように、本実施例の蓋１０は、上部プレート１１と円形側壁１２とを有する本体１を含む。円形側壁１２の対向する２辺は、円形に互いに連結する。円形側壁１２の一方の外縁は、閉鎖端１’を形成する上部プレート１１の１つの表面に連結する。閉鎖端１’の対辺における円形側壁１２の他方の外縁は、開放端１’’（図３に示される）を形成する。本実施例の蓋１０は、本体１の開放端１’’に配置されるリング部材２も含む。リング部材２は、本体１の開放端１’’とリング部材２との間に配置される第１の切込線３により本体１から分離される。第１の切込線３は、複数の連結ピン３１を保有する。第１の切込線３に沿って配置される複数の連結ピン３１は、第１の切込線３の両側で本体１とリング部材２とを連結する。第１の切込線３の２つの端部は、複数の連結部５によって分離される。複数の連結部５は、本体１とリング部材２とを連結する。複数の第２の切込線４は、複数の連結部５の片側に配置される。複数の第２の切込線４は、本体１またはリング部材２のいずれかにも配置される。複数の第２の切込線４の２つの端部とそれ自体とは連結されない。複数の第２の切込線４は、第１の切込線３と重ならない。
【００２３】
図２Ａが示すように、本実施例において、複数の連結部５は、第１の切込線３と複数の第２の切込線４との間に形成される。本発明において、複数の連結部５の形状は特に限定されない。複数の連結部５の形状は、複数の連結部５の側面に配置される第１の切込線３および複数の第２の切込線４の形状に依存する。本実施例において、複数の連結部５の形状は直方体（図３に示される）である。本発明において、複数の連結部５の数量は特に限定されない。しかしながら、本実施例において、複数の連結部５の数量は２である。本発明において、複数の連結部５のそれぞれの間の間隔は同様に特に限定されない。しかしながら、本実施例において、複数の連結部５のそれぞれは、複数の第２の切込線４の一部によって分離される。
【００２４】
本発明において、複数の第２の切込線４の数量は特に限定されない。しかしながら、本実施例において、複数の第２の切込線４の数量は２である。図２Ａが示すように、本体１のみが複数の第２の切込線４を保有する。２つの第２の切込線４のうちの１つは、第１の切込線３の一部に連結される。また、複数の第２の切込線４の一部は、第１の切込線３と平行である。
【００２５】
本発明において、第１の切込線３および複数の第２の切込線４は特に限定されない。第１の切込線３および複数の第２の切込線４は、それぞれ直線、曲線、折れ線、円弧線、またはそれらの組合せであることが好ましいことができる。本実施例において、第１の切込線３は直線である。複数の第２の切込線４は、より好ましくは、Ｌ字形線、Ｓ字形線、Ｚ字形線、またはそれらの組合せであり得る。本実施例において、複数の第２の切込線４はＺ字形線である。本発明において、複数の第２の切込線４の隅部４１は特に限定されない。複数の第２の切込線４の隅部４１は、湾曲した隅部、面取りされた隅部、鋭い隅部、またはそれらの組合せであることが好ましい。本実施例において、複数の第２の切込線４の隅部４１は湾曲した隅部である。
【００２６】
本発明において、第１の切込線３および複数の第２の切込線４は、円形側壁１２またはリング部材２の一部を囲むが、円形側壁１２またはリング部材２を完全には囲まない。第１の切込線３および複数の第２の切込線４の長さ、囲まれた円形側壁１２またはリング部材２は特に限定されない。本実施例において、第１の切込線３の長さは、囲まれた円形側壁１２またはリング部材２は、複数の第２の切込線４のそれぞれの長さ、囲まれた円形側壁１２またはリング部材２より長い。本発明において、第１の切込線３が円形側壁１２またはリング部材２の３／４超、より好ましくは円形側壁１２またはリング部材１の４／５超を囲むことが好ましい。本実施例において、第１の切込線３は、円形側壁１２またはリング部材２の４／５超を囲む。本発明において、複数の第２の切込線４が円形側壁１２またはリング部材２の３／４未満、より好ましくは円形側壁１２またはリング部材２の１／２未満、最も好ましくは円形側壁１２またはリング部材２の１／４未満を囲むことが好ましい。本実施例において、複数の第２の切込線４は、円形側壁１２の１／５未満を囲む。
【００２７】
実施例２
図２Ｂは、本発明の容器のための蓋の別の実施形態を示す概略図である。本実施例の蓋と実施例１の蓋とは、複数の第２の切込線４および図２Ａに示される複数の第２の切込線４が互いに対向することを除いて同じである。それにもかかわらず、蓋の開口方向および図２Ａに示される蓋の開口方法はなおも同じである（いずれも反時計回り方向であり、すなわち、図２Ａまたは図２Ｂにおいて右方向への回転である）。
【００２８】
実施例３
図２Ｃは、本発明の容器のための蓋の別の実施形態を示す概略図である。本実施例の蓋と実施例１の蓋とは、リング部材２のみが複数の第２の切込線４を保有し、複数の第２の切込線４がリング部材２の１／５未満を囲むことを除いて同じである。
【００２９】
実施例４
図２Ｄは、本発明の容器のための蓋の別の実施形態を示す概略図である。本実施例の蓋と実施例１の蓋とは、複数の第２の切込線４の数量が１であり、第２の切込線４が本体１からリング部材２までまたはリング部材２から本体１まで延在し、第２の切込線４と第１の切込線３とが連結されず、第２の切込線４（Ｚ字型線）の隅部４１が鋭い隅部であり、第２の切込線４が円形側壁１２の１／５未満およびリング部材２の１／５未満を囲むことを除いて同じである。
【００３０】
実施例５
図２Ｅは、本発明の容器のための蓋の別の実施形態を示す概略図である。本実施例の蓋と実施例１の蓋とは、複数の第２の切込線４がＬ字形線であり、これらのＬ字形線の隅部４１が鋭い隅部であることを除いて同じである。
【００３１】
実施例６
図２Ｆは、本発明の容器のための蓋の別の実施形態を示す概略図である。本実施例の蓋と実施例１の蓋とは、複数の第２の切込線４と第１の切込線３とが互いに平行ではなく、複数の第２の切込線４がＳ字形線であることを除いて同じである。
【００３２】
実施例７
図２Ｇは、本発明の容器のための蓋の別の実施形態を示す概略図である。本実施例の蓋と実施例４の蓋とは、複数の第２の切込線４（Ｌ字形線）の隅部４１が湾曲した隅部であり、第２の切込線４のうちの１つが円形側壁１２の１／２未満を囲むことを除いて同じである。
【００３３】
図３は、容器から分離されている本発明の容器のための蓋の実施形態を示す三次元概略図であり、ここで、示される蓋は、上記実施例のうちの任意の１つにおける蓋の任意の１つであり得る。以下で、本発明によって提供される蓋の実際の応用が実施例１の蓋を使用してさらに詳細に説明される。
【００３４】
本発明において、提供される蓋１０は、蓋１０および容器２０を一緒に組み立てることができる限り、任意の特定の限定なしに、任意の従来の容器と一緒に使用することができる。本発明において、蓋１０の形状は特に限定されない。図３に示されるように、蓋の内側は円形である。本発明において、容器２０の形状も同様に特に限定されない。図３に示されるように、容器の開口２１０は円形開口である。本発明において、容器２０は丸瓶または丸缶であることが好ましい。図３に示されるように、容器２０は円形開口を有する瓶である。
【００３５】
本発明によって提供される蓋１０の本体１は、容器の開口２１０の開および閉を制御することができる。図３に示されるように、本体１の内側はネジ山１１０を有する。容器の開口２１０の外側の相補的なネジ山構造２１００により、本体１は、回転させることにより、容器の開口２１０上でねじり開け（反時計回り方向に）およびねじり閉じる（図示せず）（時計回り方向に）ことができる。
【００３６】
本発明において、提供される蓋１０の本体１が容器の開口２１０上でねじり閉じられるとき、本体１の閉鎖端１’は容器の開口２１０に当接する。一方、本体１の開放端１’’は、容器の開口２１０に向き、容器の開口２１０を覆って嵌まる。結果的に、容器の開口２１０は閉状態となり、容器２０は密閉されたままとなる。
【００３７】
本発明において、提供される蓋１０の本体１の外側は、刻み部１２０を有することができる。容器２０が開けられるとき、刻み部１２０は、本体１およびリング部材２を回転させて、分離するために力を加えることを容易にすることができる。
【００３８】
本発明において、実際の必要性に応じて、提供される蓋１０の本体１とリング部材２との間に配置される第１の切込線３は、本体１とリング部材２とを連結するために複数の連結ピン３１を有することができる。複数の連結ピン３１の形状、寸法、数量、および間隔は特に限定されない。第１の切込線３の複数の連結ピン３１の寸法および数量がより小さく、複数の連結ピン３１の間隔がより大きいとき、複数の連結ピン３１を壊すために必要な力はより小さくなる。逆に、第１の切込線３の複数の連結ピン３１の寸法および数量がより大きく、複数の連結ピン３１の間隔がより小さいとき、複数の連結ピン３１を壊すために必要な力はより大きくなる。本実施例において、第１の切込線３の複数の連結ピン３１の寸法および数量はより小さく、複数の連結ピン３１の間隔はより大きい。さらに、複数の第２の切込線４は、複数の連結ピン３１を保有しない。そのため、複数の連結ピン３１を壊すために必要な力はより小さくなる。したがって、使用者は、本体１とリング部材２とをより容易に分離することができる。すなわち、蓋１０は、容器の開口２１０からより容易に開けることができる。
【００３９】
本発明において、本発明によって提供される蓋１０の本体１が容器の開口２１０からねじり開けられたとき、複数の連結部５は、本体１とリング部材２とを連結する。リング部材２は容器の開口２１０の膨出部２２００の下に嵌まっているため、したがってリング部材２は容器の開口２１０から外れない。結果として、容器の開口２１０から分離された本体１とリング部材２との連結により、本体１が依然として容器２０と連結状態のままであることを可能にする。さらに、複数の連結部５は、本体１が開状態のままであることを可能にすることもできる。複数の連結部５は、本体１が容器の開口２１０に干渉することを防ぐ。複数の連結部５はまた、本体１の自由移動を減少させる。結果として、内容物を容器２０から出すとき、複数の連結部５は、本体１がその自由移動のために他の物体に接触することを防ぐことができる。たとえば、容器２０が水筒である場合、使用者が水筒から飲んでいるとき、複数の連結部５は、本体１が使用者の顔および任意の体の部分に接触することを防ぐ。さらに、複数の連結部５はまた、本体１の自由移動を減少させることにより、本体１の内側の残りの内容物が簡単にこぼれることを防ぐことができる。また、容器の開口２１０に嵌合されたリング部材２は自由に回転させることができるため、したがって複数の連結部５は簡単に引き抜けない。
【００４０】
本発明において、提供される蓋は、当該技術分野において知られている任意の材料を用いて作ることができ、ここで、蓋のための材料は、ポリエステル、ＰＥＴ、ＰＥ、ＨＤＰＥ、ＰＰ、ＰＳ、ＰＭＭＡ、またはＰＣなどのプラスチックであることが好ましい。すべての上記実施例において、蓋のための材料はＰＰである。蓋は、当該技術分野において知られている任意の工程によって製造することができる。すべての上記実施例において、蓋の製造工程は射出成形による工程である。第１の切込線および複数の第２の切込線は、任意の知られている方法によって形成することができる。すべての上記実施例において、第１の切込線および複数の第２の切込線は回転切断によって形成され、切り込みは切断ツールまたはレーザ切断によって行われる。
【００４１】
全体として、本発明によって提供される容器のための蓋の設計および構造は簡単である。単に第１の切込線および複数の第２の切込線を使用することにより、複数の連結部が作成される。作成される複数の連結部は、容器と容器から分離された蓋とを連結し、蓋の紛失または廃棄を防ぐことができる。作成される複数の連結部は、蓋が容器の開口に干渉せず、蓋の自由移動が減少する開状態に蓋を維持することもできる。最終的に、蓋の使い勝手が高められる。従来の蓋と異なり、本発明の蓋は、上記の蓋の同じ機能を実現するために障壁構造をさらに配置することを必要としない。
【００４２】
本発明がその好ましい実施形態に関して説明されたが、以下で特許請求される本発明の趣旨および範囲から逸脱することなく多くの他の可能な修正形態および変更形態がなされ得ることが理解されるべきである。
【図１】
2018510825.tif 000003
【図２Ａ】
2018510825.tif 000004
【図２Ｂ】
2018510825.tif 000005
【図２Ｃ】
2018510825.tif 000006
【図２Ｄ】
2018510825.tif 000007
【図２Ｅ】
2018510825.tif 000008
【図２Ｆ】
2018510825.tif 000009
【図２Ｇ】
2018510825.tif 000010
【図３】
2018510825.tif 000011
【国際調査報告】
2018510825.tif 000012